(57)【要約】  空気調和機（１）は、室内機（２）と、空気調和の内容を示す設定データ（２７）と設定データ（２７）を識別する識別情報とを受け付けて室内機（２）に送信する室内機操作端末（４）とを有する。室内機（２）は、設定データ（２７）と識別情報とを受信して設定データ（２７）と識別情報とを紐付けて記憶する。室内機（２）が紐付けられた設定データ（２７）と識別情報との組合せを１個又は複数個記憶した後、室内機操作端末（４）は、識別情報を受け付けて、当該識別情報を室内機（２）に送信し、室内機（２）は、当該識別情報を受信し、記憶している１個又は複数個の組合せのなかの当該識別情報を含む組合せに含まれている設定データ（２７）にしたがって空気調和についての制御を行う。
2020183623.tif 000002
【特許請求の範囲】
【請求項１】
空気調和を行う室内機と、
ユーザによって操作される室内機操作端末とを備え、
前記室内機操作端末は、
空気調和の内容を示す設定データと前記設定データを識別する識別情報とを受け付ける受付部と、
前記受付部が受け付けた前記設定データと前記識別情報とを前記室内機に送信する端末側通信部とを有し、
前記室内機は、
前記室内機操作端末が有する前記端末側通信部が送信した前記設定データと前記識別情報とを受信する室内機側通信部と、
前記室内機側通信部が受信した前記設定データと前記識別情報とを紐付けて記憶する室内機側記憶部と、
空気調和についての制御を行う室内機側制御部とを有し、
前記室内機側記憶部が紐付けられた前記設定データと前記識別情報との組合せを１個又は複数個記憶した後、
前記受付部は、識別情報を受け付け、
前記端末側通信部は、前記受付部が受け付けた前記識別情報を前記室内機に送信し、
前記室内機側通信部は、前記端末側通信部が送信した前記識別情報を受信し、
前記室内機側制御部は、前記室内機側記憶部が記憶している前記１個又は複数個の組合せのなかの前記室内機側通信部が受信した前記識別情報を含む組合せに含まれている前記設定データにしたがって空気調和についての制御を行う
空気調和機。
【請求項２】
室内機操作端末から送信された空気調和の内容を示す設定データと前記設定データを識別する識別情報とを受信する室内機側通信部と、
前記室内機側通信部が受信した前記設定データと前記識別情報とを紐付けて記憶する室内機側記憶部と、
空気調和についての制御を行う室内機側制御部とを備え、
前記室内機側記憶部が紐付けられた前記設定データと前記識別情報との組合せを１個又は複数個記憶した後、
前記室内機側通信部は、前記室内機操作端末から送信された識別情報を受信し、
前記室内機側制御部は、前記室内機側記憶部が記憶している前記１個又は複数個の組合せのなかの前記室内機側通信部が受信した前記識別情報を含む組合せに含まれている前記設定データにしたがって空気調和についての制御を行う
空気調和機の室内機。
【請求項３】
空気調和を行う室内機と、
ユーザによって操作される室内機操作端末と、
前記室内機が設置されている位置からあらかじめ決められた距離までの範囲において、人の位置、人の動作、又は、あらかじめ決められた物の動作を検出する検出部とを備え、
前記室内機操作端末は、
空気調和の内容を示す設定データと、前記設定データに紐付けられる検索用情報であって人の位置、人の動作、又は、前記物の動作を示す前記検索用情報とを受け付ける受付部と、
前記受付部が受け付けた前記設定データと前記検索用情報とを前記室内機に送信する端末側通信部とを有し、
前記室内機は、
前記室内機操作端末が有する前記端末側通信部が送信した前記設定データと前記検索用情報とを受信する室内機側通信部と、
前記室内機側通信部が受信した前記設定データと前記検索用情報とを紐付けて記憶する室内機側記憶部と、
空気調和についての制御を行う室内機側制御部とを有し、
前記室内機側記憶部が紐付けられた前記設定データと前記検索用情報との組合せを１個又は複数個記憶した後、
前記室内機側制御部は、前記室内機側記憶部が記憶している前記１個又は複数個の組合せのなかの前記検出部によって得られた検出結果に対応する前記検索用情報を含む組合せに含まれている前記設定データにしたがって空気調和についての制御を行う
空気調和機。
【請求項４】
空気調和を行う空気調和機の室内機であって、
室内機操作端末から送信された空気調和の内容を示す設定データと、前記設定データに紐付けられる検索用情報であって人の位置、人の動作、又は、あらかじめ決められた物の動作を示す前記検索用情報とを受信する室内機側通信部と、
前記室内機側通信部が受信した前記設定データと前記検索用情報とを紐付けて記憶する室内機側記憶部と、
空気調和についての制御を行う室内機側制御部と、
前記空気調和機の室内機が設置されている位置からあらかじめ決められた距離までの範囲において、人の位置、人の動作、又は、あらかじめ決められた物の動作を検出する検出部とを備え、
前記室内機側記憶部が紐付けられた前記設定データと前記検索用情報との組合せを１個又は複数個記憶した後、
前記室内機側制御部は、前記室内機側記憶部が記憶している前記１個又は複数個の組合せのなかの前記検出部によって得られた検出結果に対応する前記検索用情報を含む組合せに含まれている前記設定データにしたがって空気調和についての制御を行う
空気調和機の室内機。
【発明の詳細な説明】
【技術分野】
【０００１】
本発明は、空気調和機及び空気調和機の室内機に関する。
【背景技術】
【０００２】
従来、予め登録された運転モード、設定温度及び設定風速の運転条件により空気調和を行わせるための短縮キーを有する遠隔操作機器をユーザが操作し、ユーザが短縮キーを選択した場合、短縮キーが選択されたときの日付に対応する運転条件で空気調和を行う空気調和機が提案されている（例えば、特許文献１参照）。
【先行技術文献】
【特許文献】
【０００３】
【特許文献１】特開２０１４−２０６６０号公報
【発明の概要】
【発明が解決しようとする課題】
【０００４】
上述のように、従来の空気調和機は、ユーザが遠隔操作機器の短縮キーを選択した場合、短縮キーが選択されたときの日付に対応する運転条件で空気調和を行う。つまり、従来の空気調和機では、短縮キーが選択されたときの日付と運転条件とが紐付けられている。日付と関係なく、ユーザができるだけ簡単な操作を行うことによって、ユーザが所望する空気調和を行う空気調和機が提供されることが要求されている。更に言うと、日付と関係なく、空気調和の制御についてのユーザにかかる負担を抑制して、ユーザが所望する空気調和を行う空気調和機が提供されることが要求されている。【０００５】
本発明は、上記に鑑みてなされたものであって、日付と関係なく、空気調和の制御についてのユーザにかかる負担を抑制して、ユーザが所望する空気調和を行う空気調和機を得ることを目的とする。
【課題を解決するための手段】
【０００６】
上述した課題を解決し、目的を達成するために、本発明に係る空気調和機は、空気調和を行う室内機と、ユーザによって操作される室内機操作端末とを有する。室内機操作端末は、空気調和の内容を示す設定データと設定データを識別する識別情報とを受け付ける受付部と、受付部が受け付けた設定データと識別情報とを室内機に送信する端末側通信部とを有する。室内機は、室内機操作端末が有する端末側通信部が送信した設定データと識別情報とを受信する室内機側通信部と、室内機側通信部が受信した設定データと識別情報とを紐付けて記憶する室内機側記憶部と、空気調和についての制御を行う室内機側制御部とを有する。室内機側記憶部が紐付けられた設定データと識別情報との組合せを１個又は複数個記憶した後、受付部は、識別情報を受け付け、端末側通信部は、受付部が受け付けた識別情報を室内機に送信し、室内機側通信部は、端末側通信部が送信した識別情報を受信し、室内機側制御部は、室内機側記憶部が記憶している１個又は複数個の組合せのなかの室内機側通信部が受信した識別情報を含む組合せに含まれている設定データにしたがって空気調和についての制御を行う。
【発明の効果】
【０００７】
本発明に係る空気調和機は、日付と関係なく、空気調和の制御についてのユーザにかかる負担を抑制して、ユーザが所望する空気調和を行うことができる。
【図面の簡単な説明】
【０００８】
【図１】実施の形態１に係る空気調和機の構成を示す図
【図２】実施の形態１に係る空気調和機の動作の概略を説明するための実施の形態１に係る室内機操作端末の動作の手順の概略を示すフローチャート
【図３】実施の形態１に係る空気調和機の動作の概略を説明するための実施の形態１に係る室内機の動作の手順の概略を示すフローチャート
【図４】実施の形態１に係る室内機操作端末が実施の形態１に係る室内機の室内機側記憶部に記憶されている設定データをユーザに提示する場合の室内機操作端末の動作の手順を示すフローチャート
【図５】実施の形態１に係る室内機操作端末が実施の形態１に係る室内機の室内機側記憶部に記憶されている設定データをユーザに提示する場合の室内機の動作の手順を示すフローチャート
【図６】実施の形態１に係る室内機の室内機側記憶部が設定データと識別番号との組合せを記憶する際の実施の形態１に係る室内機操作端末の動作の手順の例を示すフローチャート
【図７】実施の形態１に係る室内機の室内機側記憶部が設定データと識別番号との組合せを記憶する際の室内機の動作の手順の概略を示すフローチャート
【図８】実施の形態２に係る室内機の室内機側記憶部に設定データと検索用情報とを紐付けて記憶させる場合の室内機操作端末の動作の手順を示すフローチャート
【図９】実施の形態２に係る室内機の室内機側記憶部に設定データと検索用情報とを紐付けて記憶させる場合の室内機の動作の手順を示すフローチャート
【図１０】実施の形態２に係る空気調和機が空気調和を行う際の空気調和機の動作の手順を示すフローチャート
【図１１】実施の形態１に係る空気調和機の室外機が有する室内機側通信部、検出部、室内機側表示装置及び室内機側制御部の少なくとも一部の機能がプロセッサによって実現される場合のプロセッサを示す図
【図１２】実施の形態１に係る空気調和機の室外機が有する室内機側通信部、検出部、室内機側表示装置及び室内機側制御部の少なくとも一部が処理回路によって実現される場合の処理回路を示す図
【発明を実施するための形態】
【０００９】
以下に、本発明の実施の形態に係る空気調和機及び空気調和機の室内機を図面に基づいて詳細に説明する。なお、この実施の形態によりこの発明が限定されるものではない。
【００１０】
実施の形態１．
まず、実施の形態１に係る空気調和機１の構成を説明する。図１は、実施の形態１に係る空気調和機１の構成を示す図である。空気調和機１は、空気調和を行う室内機２と、室内機２と共に空気調和を行う室外機３と、空気調和についてユーザによって操作される室内機操作端末４とを有する。本願では、空気調和機の室内機を「室内機」と記載し、空気調和機の室外機を「室外機」と記載する場合がある。
【００１１】
室内機操作端末４は、ユーザが室内機２を制御するための遠隔操作機器である。室内機操作端末４は、無線で室内機２に接続されていてもよいし、有線で室内機２に接続されていてもよい。室内機操作端末４は、後述する室内機操作端末４が有する機能を実現するためのアプリケーションプログラムがインストールされた携帯端末であってもよい。携帯端末の例は、スマートフォンである。
【００１２】
室内機操作端末４は、室内機２と通信を行う端末側通信部４１と、室内機操作端末４が有する構成要素を制御する端末側制御装置４２と、情報を表示する端末側表示装置４３とを有する。例えば、端末側表示装置４３は、空気調和についての設定の内容を表示する。端末側表示装置４３が空気調和についての設定の内容を表示することにより、ユーザは空気調和についての設定の内容を認識することができる。端末側表示装置４３の例は、液晶表示装置である。
【００１３】
端末側制御装置４２は、空気調和の内容を示す設定データと当該設定データを識別する識別番号とを受け付ける受付部４４を有する。空気調和の内容は、空気調和の運転条件と記載される場合がある。例えば、設定データは、室内機２が空気調和を行う場合の運転モード、設定温度及び設定風速の全部又は一部を示すデータである。識別番号は、識別情報の例である。識別情報は、番号ではなく、記号であってもよい。識別情報は、例えば、ユーザ名、又は、用途を特定する文字列であってもよい。用途を特定する文字列の例は、「就寝用」という文字列である。つまり、識別番号は、識別記号、ユーザ名、又は、用途を特定する文字列に置き換えられてもよい。いずれにしても、識別情報は、設定データを識別する情報である。以下では、識別情報の例に、識別番号を用いる。
【００１４】
端末側通信部４１は、受付部４４が受け付けた設定データと識別番号とを室内機２に送信する。端末側制御装置４２は、情報を記憶する端末側記憶部４５を更に有する。端末側記憶部４５の例は、半導体メモリである。端末側制御装置４２は、端末側通信部４１、端末側表示装置４３、受付部４４及び端末側記憶部４５を制御する端末側制御部４６を更に有する。
【００１５】
室内機２は、室内機操作端末４と通信を行う室内機側通信部２１を有する。室内機側通信部２１は、室内機操作端末４が有する端末側通信部４１が送信した設定データと識別番号とを受信する。室内機側通信部２１と端末側通信部４１とが行う通信は、有線で行われてもよいし、無線で行われてもよい。当該通信は、ＷｉＦｉ又はＢｌｕｅｔｏｏｔｈ（登録商標）が用いられて行われてもよい。
【００１６】
室内機２は、室内機２が設置されている位置からあらかじめ決められた距離までの範囲において、人の位置、人の動作、又は、あらかじめ決められた物の動作を検出する検出部２２を更に有する。例えば、当該範囲は、室内機２が設置されている位置が中心である場合、半径が当該あらかじめ決められた距離であるときの球の内部である。検出部２２の詳細については、実施の形態２において説明する。
【００１７】
室内機２は、情報を表示する室内機側表示装置２３を更に有する。例えば、室内機側表示装置２３は、室内機２が行っている空気調和の運転の状態と設定の内容とを表示する。室内機側表示装置２３が運転の状態と設定の内容とを表示することにより、ユーザは室内機２が行っている運転の状態と設定の内容とを認識することができる。室内機側表示装置２３の例は、液晶表示装置である。
【００１８】
室内機２は、室内機２が有する構成要素を制御する室内機側制御装置２４を更に有する。室内機側制御装置２４は、空気調和についての制御を行う室内機側制御部２５と、情報を記憶する室内機側記憶部２６とを更に有する。室内機側記憶部２６の例は、半導体メモリである。室内機側記憶部２６は、室内機側通信部２１が受信した設定データ２７と識別番号２８とを紐付けて記憶する。室内機側記憶部２６は、設定データ２７と識別番号２８とが室内機操作端末４に送信される場合に用いられる設定呼出データ２９を更に記憶する。
【００１９】
室内機側記憶部２６が紐付けられた設定データ２７と識別番号２８との組合せを１個又は複数個記憶した後、室内機操作端末４において、受付部４４は識別番号を受け付け、端末側通信部４１は受付部４４が受け付けた識別番号を室内機２に送信する。室内機２において、室内機側通信部２１は、端末側通信部４１が送信した識別番号を受信し、室内機側制御部２５は、室内機側記憶部２６が記憶している１個又は複数個の組合せのなかの室内機側通信部２１が受信した識別番号を含む組合せに含まれている設定データにしたがって空気調和についての制御を行う。
【００２０】
次に、実施の形態１に係る空気調和機１の動作を説明する。先ず、空気調和機１の動作の概略を説明する。図２は、実施の形態１に係る空気調和機１の動作の概略を説明するための実施の形態１に係る室内機操作端末４の動作の手順の概略を示すフローチャートである。当該フローチャートは、室内機２の室内機側記憶部２６が紐付けられた設定データ２７と識別番号２８との組合せを１個又は複数個記憶した後の室内機操作端末４の動作の手順の概略を示している。
【００２１】
室内機側記憶部２６が設定データ２７と識別番号２８との組合せを１個又は複数個記憶した後、ユーザは、識別番号を室内機操作端末４に入力することなく室内機２及び室外機３を運転させることも、識別番号を室内機操作端末４に入力して室内機２及び室外機３を運転させることもできる。ユーザは、識別番号を室内機操作端末４に入力しない場合、運転モードを室内機操作端末４に入力する。受付部４４は、入力された運転モードを受け付ける（Ｓ１）。
【００２２】
ユーザは、基本運転条件の設定データを室内機操作端末４に入力する。受付部４４は、入力された基本運転条件の設定データを受け付ける（Ｓ２）。ユーザは、付加機能条件の設定データを室内機操作端末４に入力する。受付部４４は、入力された付加機能条件の設定データを受け付ける（Ｓ３）。端末側記憶部４５は、受付部４４が受け付けた設定データを記憶する（Ｓ４）。端末側記憶部４５が記憶する設定データは、受付部４４が受け付けた運転モード、基本運転条件の設定データ及び付加機能条件の設定データを含む。
【００２３】
上述の通り、ユーザは、識別番号を室内機操作端末４に入力して室内機２及び室外機３を運転させることもできる。ユーザは、識別番号を室内機操作端末４に入力して室内機２及び室外機３を運転させる場合、識別番号を室内機操作端末４に入力する。受付部４４は、入力された識別番号を受け付ける（Ｓ５）。
【００２４】
ステップＳ４又はステップＳ５の動作が行われた後、端末側通信部４１は、運転情報を室内機２に送信する（Ｓ６）。端末側通信部４１が室内機２に送信する運転情報は、ユーザが識別番号を室内機操作端末４に入力しない場合、ステップＳ４において端末側記憶部４５が記憶した設定データであり、ユーザが識別番号を室内機操作端末４に入力する場合、ステップＳ５において受付部４４が受け付けた識別番号である。
【００２５】
図３は、実施の形態１に係る空気調和機１の動作の概略を説明するための実施の形態１に係る室内機２の動作の手順の概略を示すフローチャートである。当該フローチャートは、室内機２の室内機側記憶部２６が紐付けられた設定データ２７と識別番号２８との組合せを１個又は複数個記憶した後の室内機２の動作の手順の概略を示している。
【００２６】
室内機側通信部２１は、室内機操作端末４から送信された情報を受信する。室内機側制御部２５は、室内機側通信部２１が室内機操作端末４より受信した情報を解析する（Ｓ１１）。室内機側制御部２５は、当該情報に空気調和の運転の要求が含まれているか否かを判断する（Ｓ１２）。当該情報に空気調和の運転の要求が含まれていないと室内機側制御部２５によって判断された場合（Ｓ１２でＮｏ）、空気調和についての室内機２の動作は終了する。
【００２７】
室内機側制御部２５は、当該情報に空気調和の運転の要求が含まれていると判断した場合（Ｓ１２でＹｅｓ）、当該情報に識別番号が含まれているか否かを判断する（Ｓ１３）。室内機側制御部２５は、当該情報に識別番号が含まれていないと判断した場合（Ｓ１３でＮｏ）、室内機側通信部２１が室内機操作端末４より受信した設定データを運転設定データとして設定する（Ｓ１４）。
【００２８】
室内機側制御部２５は、当該情報に識別番号が含まれていると判断した場合（Ｓ１３でＹｅｓ）、識別番号と紐付けられている設定データを運転設定データとして室内機側記憶部２６から呼び出す（Ｓ１５）。室内機側制御部２５は、ステップＳ１４又はステップＳ１５の動作を行った後、運転設定データをもとに空気調和についての制御を行う（Ｓ１６）。
【００２９】
次に、ユーザが室内機２の室内機側記憶部２６に記憶されている設定データ２７を確認する場合の室内機操作端末４の動作を説明する。図４は、実施の形態１に係る室内機操作端末４が実施の形態１に係る室内機２の室内機側記憶部２６に記憶されている設定データ２７をユーザに提示する場合の室内機操作端末４の動作の手順を示すフローチャートである。
【００３０】
ユーザは、室内機２に対して、室内機側記憶部２６に記憶されている設定データ２７を室内機操作端末４に送信させることを指示するための操作を室内機操作端末４に対して行う。受付部４４は、室内機２に対して、室内機側記憶部２６に記憶されている設定データ２７を室内機操作端末４に送信させる指示を受け付ける（Ｓ２１）。図４のステップＳ２１では、受付部４４が、室内機２に対して、室内機側記憶部２６に記憶されている設定データ２７を室内機操作端末４に送信させる指示を受け付けることは、「設定データの送信の要求の受付」と記載されている。
【００３１】
端末側通信部４１は、受付部４４が受け付けた指示を室内機２に送信する。その後、端末側通信部４１は、室内機２より設定データ２７を受信し、端末側表示装置４３は、端末側通信部４１が受信した設定データ２７を表示する（Ｓ２２）。これにより、ユーザは、室内機側記憶部２６に記憶されている設定データ２７を確認することができる。
【００３２】
図５は、実施の形態１に係る室内機操作端末４が実施の形態１に係る室内機２の室内機側記憶部２６に記憶されている設定データ２７をユーザに提示する場合の室内機２の動作の手順を示すフローチャートである。室内機側通信部２１は、室内機操作端末４から送信された情報を受信する。室内機側制御部２５は、室内機側通信部２１が室内機操作端末４より受信した情報を解析する（Ｓ３１）。
【００３３】
室内機側制御部２５は、当該情報に室内機側記憶部２６に記憶されている設定データ２７を室内機操作端末４へ送信させる要求が含まれているか否かを判断する（Ｓ３２）。図５のステップＳ３２では、室内機側制御部２５が、当該情報に室内機側記憶部２６に記憶されている設定データ２７を室内機操作端末４へ送信させる要求が含まれているか否かを判断することは、「設定データの呼出か？」と記載されている。
【００３４】
当該情報に室内機側記憶部２６に記憶されている設定データ２７を室内機操作端末４へ送信させる要求が含まれていないと室内機側制御部２５によって判断された場合（Ｓ３２でＮｏ）、設定データ２７の室内機操作端末４への送信についての室内機２の動作は終了する。
【００３５】
室内機側制御部２５は、当該情報に室内機側記憶部２６に記憶されている設定データ２７を室内機操作端末４へ送信させる要求が含まれていると判断した場合（Ｓ３２でＹｅｓ）、室内機側記憶部２６に記憶されている識別番号２８を導出する（Ｓ３３）。ステップＳ３３において、例えば、室内機側制御部２５は、数字が小さい順に識別番号２８を導出する。例えば、室内機側制御部２５は、設定データ２７を送信することが要求された回数が多い順に識別番号２８を導出する。室内機側制御部２５は、導出した識別番号２８に紐付けられている設定データ２７を室内機側記憶部２６から呼び出す（Ｓ３４）。
【００３６】
室内機側通信部２１は、室内機操作端末４へ室内機側制御部２５が呼び出した設定データ２７を送信する（Ｓ３５）。室内機操作端末４では、図４のステップＳ２２の動作が行われる。すなわち、端末側通信部４１は、室内機２より設定データ２７を受信し、端末側表示装置４３は、端末側通信部４１が受信した設定データ２７を表示する。これにより、ユーザは、室内機側記憶部２６に記憶されている設定データ２７を確認することができる。
【００３７】
ユーザは、室内機２の室内機側記憶部２６に記憶されている設定データ２７を確認する場合、特定の識別番号２８を室内機操作端末４に入力し、特定の識別番号２８に紐付けられている設定データ２７のみを室内機操作端末４に表示させてもよい。
【００３８】
次に、室内機２の室内機側記憶部２６が紐付けられた設定データ２７と識別番号２８との組合せを記憶する際の空気調和機１の動作を説明する。図６は、実施の形態１に係る室内機２の室内機側記憶部２６が設定データ２７と識別番号２８との組合せを記憶する際の実施の形態１に係る室内機操作端末４の動作の手順の例を示すフローチャートである。当該フローチャートは、室内機２の室内機側記憶部２６が紐付けられた設定データ２７と識別番号２８との組合せを１個又は複数個記憶した後の室内機操作端末４の動作の手順の概略を示している。
【００３９】
ユーザは、設定データ２７と識別番号２８との組合せを室内機２の室内機側記憶部２６に記憶させようとする場合、上記の組合せを室内機側記憶部２６に登録するための操作を室内機操作端末４に対して行う。室内機操作端末４において、受付部４４は、上記の組合せを室内機側記憶部２６に登録するための指示を受け付ける（Ｓ４１）。図６のステップＳ４１では、受付部４４が上記の組合せを室内機側記憶部２６に登録するための指示を受け付けることは、「設定データの登録の指示の受付」と記載されている。
【００４０】
ユーザは、識別番号を室内機操作端末４に入力する。例えば、ユーザは、室内機２と室内機操作端末４との間で通信を行わせ、室内機側記憶部２６が現在記憶している１個又は複数個の組合せを端末側表示装置４３に表示させる。各組合せは、ひとつの設定データ２７とひとつの識別番号２８とを含む。ユーザは、端末側表示装置４３が表示する１個又は複数個の組合せに対応する１個又は複数個の識別番号２８のなかから１個の識別番号２８を選択することにより、識別番号を室内機操作端末４に入力する。受付部４４は、入力された識別番号を受け付ける（Ｓ４２）。
【００４１】
端末側表示装置４３は、受付部４４が受け付けた識別番号に紐付けられている設定データを表示する（Ｓ４３）。ユーザは、端末側表示装置４３によって表示された設定データが示す運転条件での登録を希望する場合、当該設定データが示す運転条件での登録を希望する旨の操作を室内機操作端末４に対して行う。ユーザは、端末側表示装置４３によって表示された設定データが示す運転条件と異なる登録を希望する場合、当該設定データが示す運転条件と異なる登録を希望する旨の操作を室内機操作端末４に対して行う。
【００４２】
端末側制御部４６は、ユーザが室内機操作端末４に対して行った操作が、端末側表示装置４３によって表示された設定データが示す運転条件での登録を希望する旨の指示であるか否かを判断する（Ｓ４４）。上述の通り、ユーザは、端末側表示装置４３によって表示された設定データが示す運転条件での登録を希望する場合、当該設定データが示す運転条件での登録を希望する旨の操作を室内機操作端末４に対して行う。その場合、端末側制御部４６は、ユーザが室内機操作端末４に対して行った操作が、端末側表示装置４３によって表示された設定データが示す運転条件での登録を希望する旨の指示であると判断し（Ｓ４４でＹｅｓ）、室内機操作端末４の動作は後述するステップＳ４６に移行する。
【００４３】
上述の通り、ユーザは、端末側表示装置４３によって表示された設定データが示す運転条件と異なる登録を希望する場合、運転条件を修正するための操作を室内機操作端末４に対して行う。その場合、端末側制御部４６は、ユーザが室内機操作端末４に対して行った操作は端末側表示装置４３によって表示された設定データが示す運転条件での登録を希望しない旨の指示であると判断する（Ｓ４４でＮｏ）。受付部４４は、ユーザが行った操作にしたがって運転条件を修正する指示を受け付ける（Ｓ４５）。
【００４４】
ユーザの操作が端末側表示装置４３によって表示された設定データが示す運転条件での登録を希望する旨の指示であると端末側制御部４６によって判断された場合（Ｓ４４でＹｅｓ）、ステップＳ４６において、端末側通信部４１は、修正されなかった運転条件を示す設定データと当該設定データに紐付けられている識別番号とを室内機２に送信する。図６のステップＳ４６では、端末側通信部４１が設定データと当該設定データに紐付けられている識別番号とを室内機２に送信することは、「室内機へ登録情報の送信」と記載されている。ステップＳ４５の動作が行われた場合、ステップＳ４６において、端末側通信部４１は、修正された運転条件を示す設定データと当該設定データに紐付けられている識別番号とを室内機２に送信する。
【００４５】
ユーザが室内機操作端末４に対して行った操作が端末側表示装置４３によって表示された設定データが示す運転条件での登録を希望する旨の指示であると端末側制御部４６によって判断された場合（Ｓ４４でＹｅｓ）、端末側通信部４１は、修正されなかった運転条件を示す設定データに紐付けられている識別番号だけを室内機２に送信してもよい。端末側通信部４１がステップＳ４６において室内機２に送信する登録情報は、室内機２の室内機側記憶部２６に設定データ２７と識別番号２８との組合せを記憶させるための情報である。
【００４６】
図７は、実施の形態１に係る室内機２の室内機側記憶部２６が設定データ２７と識別番号２８との組合せを記憶する際の室内機２の動作の手順の概略を示すフローチャートである。室内機２において、室内機側通信部２１は、室内機操作端末４から送信された情報を受信する。室内機側制御部２５は、室内機側通信部２１が室内機操作端末４より受信した情報を解析する（Ｓ５１）。室内機側制御部２５は、室内機側通信部２１が室内機操作端末４より受信した情報が、室内機２の室内機側記憶部２６に設定データ２７と識別番号２８との組合せを記憶させるための登録情報であるか否かを判断する（Ｓ５２）。
【００４７】
室内機側通信部２１が受信した情報が室内機２の室内機側記憶部２６に設定データ２７と識別番号２８との組合せを記憶させるための登録情報でないと室内機側制御部２５によって判断された場合（Ｓ５２でＮｏ）、室内機２は、室内機側記憶部２６に上記の組合せを記憶させるための動作を終了する。
【００４８】
室内機側通信部２１が受信した情報が室内機２の室内機側記憶部２６に設定データ２７と識別番号２８との組合せを記憶させるための登録情報であると室内機側制御部２５によって判断された場合（Ｓ５２でＹｅｓ）、室内機側記憶部２６は、登録情報にしたがって、設定データ２７と識別番号２８とを紐付けて記憶する（Ｓ５３）。
【００４９】
上述の通り、室内機操作端末４において、受付部４４は、空気調和の内容を示す設定データ２７と当該設定データ２７を識別する識別番号２８とを受け付ける。端末側通信部４１は、受付部４４が受け付けた設定データ２７と識別情報２８とを室内機２に送信する。室内機２において、室内機側記憶部２６は、端末側通信部４１が送信した設定データ２７と識別情報２８とを紐付けて記憶する。
【００５０】
室内機側記憶部２６が紐付けられた設定データ２７と識別情報２８との組合せを１個又は複数個記憶した後、受付部４４が識別番号を受け付けると、室内機側制御部２５は、室内機側記憶部２６が記憶している１個又は複数個の組合せのなかの受付部４４が受け付けた識別番号を含む組合せに含まれている設定データ２７にしたがって空気調和についての制御を行う。
【００５１】
つまり、ユーザは、室内機側記憶部２６が紐付けられた設定データ２７と識別情報２８との組合せを１個又は複数個記憶した後、識別番号を室内機操作端末４に入力するだけで、ユーザが所望する空気調和を実現させることができる。実現される空気調和は、日付と関係ない。識別番号を室内機操作端末４に入力することは、比較的簡単な操作である。すなわち、実施の形態１に係る空気調和機１は、日付と関係なく、ユーザができるだけ簡単な操作を行うことによって、ユーザが所望する空気調和を行うことができる。更に言うと、空気調和機１は、日付と関係なく、空気調和の制御についてのユーザにかかる負担を抑制して、ユーザが所望する空気調和を行うことができる。
【００５２】
実施の形態２．
次に、実施の形態２に係る空気調和機を説明する。実施の形態２に係る空気調和機の構成は、実施の形態１に係る空気調和機１の構成と同じである。つまり、実施の形態１において用いられた図１は、実施の形態２に係る空気調和機の構成を示す図でもある。実施の形態２では、実施の形態１との相違点を主に説明する。
【００５３】
実施の形態２では、実施の形態１において用いられた識別番号は用いられない。実施の形態２では、管理番号が用いられる。室内機２の室内機側記憶部２６は、１個又は複数個の管理番号を記憶する。各管理番号は、空気調和の内容を示す設定データに紐付けられる。実施の形態１において説明した通り、室内機２は、室内機２が設置されている位置からあらかじめ決められた距離までの範囲において、人の位置、人の動作、又は、あらかじめ決められた物の動作を検出する検出部２２を有する。
【００５４】
室内機操作端末４において、受付部４４は、空気調和の内容を示す設定データと、当該設定データに紐付けられる検索用情報とを受け付ける。検索用情報は、人の位置、人の動作、又は、あらかじめ決められた物の動作を示す情報であって、設定データを検索するための情報である。端末側通信部４１は、受付部４４が受け付けた設定データと検索用情報とを室内機２に送信する。室内機２において、室内機側通信部２１は、端末側通信部４１が送信した設定データと検索用情報とを受信する。室内機側記憶部２６は、室内機側通信部２１が受信した設定データと検索用情報とを紐付けて記憶する。
【００５５】
室内機２の室内機側記憶部２６が紐付けられた設定データと検索用情報との組合せを１個又は複数個記憶した後、室内機側制御部２５は、室内機側記憶部２６が記憶している１個又は複数個の組合せのなかの検出部２２によって得られた検出結果に対応する検索用情報を含む組合せに含まれている設定データにしたがって空気調和についての制御を行う。
【００５６】
例えば、検索用情報が、人があらかじめ決められた場所に位置することを示す情報であって、設定データが、室内機２からの風を当該あらかじめ決められた場所に向かわせる設定を示すデータであることを想定する。加えて、当該あらかじめ決められた場所が、室内機２が設置されている位置からあらかじめ決められた距離までの範囲において存在し、検出部２２が、人が当該あらかじめ決められた場所に位置していることを検出した場合を想定する。
【００５７】
この場合、例えば、室内機側制御部２５は、室内機２からの風を当該あらかじめ決められた場所に向かわせる制御を行う。上記の想定では、例えば、検出部２２は、カメラを用いて人の位置を検出する。当該あらかじめ決められた場所の例は、キッチンである。例えば、キッチンで調理をしている人は暑さを感じることがある。例えば、室内機側制御部２５は、室内機２からの比較的低温の風を当該あらかじめ決められた場所に向かわせる制御を行う。人がキッチンに居ることに起因して行われる室内機側制御部２５の制御は、キッチンに居る人にとって適切な空気調和の制御であることが多い。
【００５８】
なお、室内機側制御部２５は、人があらかじめ決められた時間継続してキッチンに居る場合に上記の制御を行ってもよい。つまり、検索用情報は、人があらかじめ決められた時間継続してあらかじめ決められた場所に位置することを示す情報であってもよい。この場合、検出部２２は、室内機２が設置されている位置からあらかじめ決められた距離までの範囲において、人があらかじめ決められた時間継続してあらかじめ決められた場所に位置することを検出する。
【００５９】
例えば、検索用情報が、人があらかじめ決められた動作を行うことを示す情報であって、設定データが、室内機２からの風をあらかじめ決められた場所に向かわせる設定を示すデータであることを想定する。あらかじめ決められた動作の例は、室内機操作端末４が複数のボタンを有している場合において、人が当該複数のボタンのうちのあらかじめ決められたボタンを押下する動作である。又は、あらかじめ決められた動作の例は、人が、室内機２が設置されている位置からあらかじめ決められた距離までの範囲において立った状態から着席する動作である。加えて、当該あらかじめ決められた場所が、室内機２が設置されている位置からあらかじめ決められた距離までの範囲において存在し、検出部２２が、人が当該あらかじめ決められた動作を行ったことを検出した場合を想定する。この場合、例えば、室内機側制御部２５は、室内機２からの風を当該あらかじめ決められた場所に向かわせる制御を行う。上記の想定では、例えば、検出部２２は、カメラを用いて人の動作を検出する。
【００６０】
例えば、検索用情報が、あらかじめ決められた物が動作することを示す情報であって、設定データが、室内機２からの風をあらかじめ決められた場所に向かわせる設定を示すデータであることを想定する。加えて、あらかじめ決められた物は、室内機２が設置されている位置からあらかじめ決められた距離までの範囲において存在することを想定する。あらかじめ決められた物の例は、室内機２が設置されている部屋のドアである。当該あらかじめ決められた物の動作の例は、当該ドアが閉められている状態から開けられた状態へ変化することである。さらに、検出部２２が、当該あらかじめ決められた物の動作を検出した場合を想定する。
【００６１】
この場合、例えば、室内機側制御部２５は、室内機２からの風を当該あらかじめ決められた場所に向かわせる制御を行う。上記の想定では、例えば、検出部２２は、カメラを用いて人の動作を検出する。多くの場合、ドアの開閉は人によって行われ、当該ドアが閉められている状態から開けられた状態へ変化することは、人が、室内機２が設置されている部屋に入ることを意味する。そのため、ドアが開けられたことが検出部２２によって検出されることに起因して行われる室内機側制御部２５の制御は、当該部屋に入る人にとって適切な空気調和の制御であることが多い。
【００６２】
次に、実施の形態２に係る空気調和機の動作を説明する。図８は、実施の形態２に係る室内機２の室内機側記憶部２６に設定データと検索用情報とを紐付けて記憶させる場合の室内機操作端末４の動作の手順を示すフローチャートである。ユーザは、室内機２の室内機側記憶部２６に設定データと検索用情報とを紐付けて記憶させようとする場合、設定データと検索用情報とを室内機側記憶部２６に記憶させるための操作を室内機操作端末４に対して行う。室内機操作端末４において、受付部４４は、設定データと検索用情報とを室内機側記憶部２６に記憶させるため操作に対応する情報を受け付ける（Ｓ６１）。図８のステップＳ６１では、受付部４４が設定データと検索用情報とを室内機側記憶部２６に記憶させるため操作に対応する情報を受け付けることは、「設定データ及び検索用情報の登録の受付」と記載されている。
【００６３】
端末側表示装置４３は、設定データと検索用情報とを室内機側記憶部２６に新たに記憶させるか否かを示す情報を表示する。端末側制御部４６は、受付部４４が受け付けた情報が設定データと検索用情報とを室内機側記憶部２６に新たに記憶させることを示しているか否かを判断する（Ｓ６２）。図８のステップＳ６２では、端末側制御部４６が行う判断は「新規登録か？」と記載されている。
【００６４】
ユーザは、設定データと検索用情報とを室内機側記憶部２６に新たに記憶させる場合、設定データと検索用情報とを室内機側記憶部２６に新たに記憶させるための動作を室内機操作端末４に対して行う。ステップＳ６２において、端末側制御部４６は、ユーザが行った操作をもとに、受付部４４が受け付けた情報が設定データと検索用情報とを室内機側記憶部２６に新たに記憶させることを示しているか否かを判断する。
【００６５】
受付部４４が受け付けた情報が設定データと検索用情報とを室内機側記憶部２６に新たに記憶させることを示していると端末側制御部４６によって判断された場合（Ｓ６２でＹｅｓ）、ユーザは管理番号と設定データとを室内機操作端末４に入力し、受付部４４は入力された管理番号と設定データを受け付ける（Ｓ６３）。
【００６６】
受付部４４が受け付けた情報が設定データと検索用情報とを室内機側記憶部２６に新たに記憶させることを示していないと端末側制御部４６によって判断された場合（Ｓ６２でＮｏ）、ユーザは管理番号と当該管理番号に紐付けられる設定データを選択し、受付部４４は選択された管理番号と設定データとを受け付ける（Ｓ６４）。なお、ステップＳ６４の動作は、ステップＳ６４の動作が行われるまでに管理番号と設定データとの組合せが１個又は複数個作成されている場合に行われる。
【００６７】
ステップＳ６３又はステップＳ６４の動作が行われた後、ユーザは検索用情報を室内機操作端末４に入力し、受付部４４は入力された検索用情報を受け付ける（Ｓ６５）。端末側通信部４１は、受付部４４が受け付けた管理番号、設定データ及び検索用情報を室内機２に送信する（Ｓ６６）。図８のステップＳ６６では、端末側通信部４１が管理番号、設定データ及び検索用情報を室内機２に送信することは、「室内機へ登録情報の送信」と記載されている。
【００６８】
図９は、実施の形態２に係る室内機２の室内機側記憶部２６に設定データと検索用情報とを紐付けて記憶させる場合の室内機２の動作の手順を示すフローチャートである。室内機２において、室内機側通信部２１は、室内機操作端末４から送信された情報を受信する。室内機側制御部２５は、室内機側通信部２１が受信した情報を解析する（Ｓ７１）。室内機側制御部２５は、室内機側通信部２１が受信した情報が、設定データと検索用情報とを室内機側記憶部２６に記憶させるための情報であるか否かを判断する（Ｓ７２）。
【００６９】
室内機側通信部２１が受信した情報が、設定データと検索用情報とを室内機側記憶部２６に記憶させるための情報でないと室内機側制御部２５によって判断された場合（Ｓ７２でＮｏ）、設定データと検索用情報とを室内機側記憶部２６に記憶させるための室内機２の動作は終了する。室内機側通信部２１が受信した情報が、設定データと検索用情報とを室内機側記憶部２６に記憶させるための情報であると室内機側制御部２５によって判断された場合（Ｓ７２でＹｅｓ）、室内機側記憶部２６は、設定データと検索用情報とを室内機側通信部２１が受信した管理番号に紐付けて記憶する（Ｓ７３）。
【００７０】
図１０は、実施の形態２に係る空気調和機が空気調和を行う際の空気調和機の動作の手順を示すフローチャートである。検出部２２は、ユーザの動作を検出する（Ｓ８１）。室内機側制御部２５は、検出部２２によって得られた検出結果に対応する検索用情報が室内機側記憶部２６に記憶されているか否かを判断する（Ｓ８２）。図１０のステップＳ８２では、室内機側制御部２５が、検出部２２によって得られた検出結果に対応する検索用情報が室内機側記憶部２６に記憶されているか否かを判断することは、「呼出条件の成立？」と記載されている。
【００７１】
検出部２２によって得られた検出結果に対応する検索用情報が室内機側記憶部２６に記憶されていないと室内機側制御部２５によって判断された場合（Ｓ８２でＮｏ）、空気調和機が空気調和を行う際の室内機２の動作は終了する。
【００７２】
室内機側制御部２５は、検出部２２によって得られた検出結果に対応する検索用情報が室内機側記憶部２６に記憶されていると判断した場合（Ｓ８２でＹｅｓ）、検索用情報に紐付けられている管理番号を導出する（Ｓ８３）。室内機側制御部２５は、導出した管理番号に紐付けられている設定データを呼び出す（Ｓ８４）。室内機側制御部２５は、呼び出した設定データをもとに空気調和を制御する（Ｓ８５）。
【００７３】
上述の通り、実施の形態２では、室内機操作端末４において、受付部４４は、空気調和の内容を示す設定データと、当該設定データに紐付けられる検索用情報とを受け付ける。検索用情報は、人の位置、人の動作、又は、物の動作を示す情報である。端末側通信部４１は、受付部４４が受け付けた設定データと検索用情報とを室内機２に送信する。室内機２において、室内機側記憶部２６は、端末側通信部４１が送信した設定データと検索用情報とを紐付けて記憶する。室内機側記憶部２６が紐付けられた設定データと検索用情報との組合せを１個又は複数個記憶した後、室内機側制御部２５は、室内機側記憶部２６が記憶している１個又は複数個の組合せのなかの検出部２２によって得られた検出結果に対応する検索用情報を含む組合せに含まれている設定データにしたがって空気調和についての制御を行う。
【００７４】
つまり、実施の形態２では、室内機側記憶部２６が紐付けられた設定データと検索用情報との組合せを１個又は複数個記憶した後、ユーザは室内機操作端末４を操作することなく、ユーザが所望する空気調和を実現させることができる。すなわち、実施の形態２に係る空気調和機は、日付と関係なく、空気調和の制御についてのユーザにかかる負担を抑制して、ユーザが所望する空気調和を行うことができる。
【００７５】
なお、上述した実施の形態２では、室内機２が検出部２２を有する。しかしながら、室内機２は検出部２２を有しておらず、室内機操作端末４が検出部２２を有していてもよい。その場合、室内機２の室内機側通信部２１が、室内機操作端末４が有する検出部２２によって得られた検出結果を端末側通信部４１から受信し、室内機側制御部２５は、室内機側記憶部２６が記憶している１個又は複数個の組合せのなかの室内機側通信部２１によって受信された検出結果に対応する検索用情報を含む組合せに含まれている設定データにしたがって空気調和についての制御を行う。
【００７６】
室内機操作端末４が検出部２２を有する場合、検出部２２はグローバルポジショニングシステムの機能を有していてもよい。又は、検出部２２は人の位置を特定するための情報を検出し、端末側通信部４１が当該情報を室内機２に送信し、室内機側通信部２１が当該情報を受信し、室内機側制御部２５が当該情報を解析して人の位置を特定してもよい。いずれにしても、室内機側制御部２５は、室内機側記憶部２６が記憶している１個又は複数個の組合せのなかの検出部２２によって得られた検出結果に対応する検索用情報を含む組合せに含まれている設定データにしたがって空気調和についての制御を行う。
【００７７】
検出部２２は、室内機２にも室内機操作端末４にも含まれていなくてもよい。例えば、検出部２２は、室内機２と通信を行う機能を有する検出装置に含まれていてもよい。その場合、室内機２の室内機側通信部２１が、検出部２２によって得られた検出結果を検出装置から受信し、室内機側制御部２５は、室内機側記憶部２６が記憶している１個又は複数個の組合せのなかの室内機側通信部２１によって受信された検出結果に対応する検索用情報を含む組合せに含まれている設定データにしたがって空気調和についての制御を行う。
【００７８】
検出装置が検出部２２を有する場合、検出部２２はグローバルポジショニングシステムの機能を有していてもよい。又は、検出部２２は人の位置を特定するための情報を検出し、検出装置が当該情報を室内機２に送信し、室内機側通信部２１が当該情報を受信し、室内機側制御部２５が当該情報を解析して人の位置を特定してもよい。いずれにしても、室内機側制御部２５は、室内機側記憶部２６が記憶している１個又は複数個の組合せのなかの検出部２２によって得られた検出結果に対応する検索用情報を含む組合せに含まれている設定データにしたがって空気調和についての制御を行う。
【００７９】
図１１は、実施の形態１に係る空気調和機１の室外機２が有する室内機側通信部２１、検出部２２、室内機側表示装置２３及び室内機側制御部２５の少なくとも一部の機能がプロセッサ９１によって実現される場合のプロセッサ９１を示す図である。つまり、室内機側通信部２１、検出部２２、室内機側表示装置２３及び室内機側制御部２５の少なくとも一部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図１１には、メモリ９２も示されている。
【００８０】
室内機側通信部２１、検出部２２、室内機側表示装置２３及び室内機側制御部２５の少なくとも一部の機能がプロセッサ９１によって実現される場合、当該少なくとも一部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、室内機側通信部２１、検出部２２、室内機側表示装置２３及び室内機側制御部２５の少なくとも一部の機能を実現する。
【００８１】
室内機側通信部２１、検出部２２、室内機側表示装置２３及び室内機側制御部２５の少なくとも一部の機能がプロセッサ９１によって実現される場合、室外機２は、室内機側通信部２１、検出部２２、室内機側表示装置２３及び室内機側制御部２５によって実行されるステップの少なくとも一部が結果的に実行されることになるプログラムを格納するためのメモリ９２を有する。メモリ９２に格納されるプログラムは、室内機側通信部２１、検出部２２、室内機側表示装置２３及び室内機側制御部２５が実行する手順又は方法の少なくとも一部をコンピュータに実行させるものであるともいえる。
【００８２】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００８３】
図１２は、実施の形態１に係る空気調和機１の室外機２が有する室内機側通信部２１、検出部２２、室内機側表示装置２３及び室内機側制御部２５の少なくとも一部が処理回路９３によって実現される場合の処理回路９３を示す図である。つまり、室内機側通信部２１、検出部２２、室内機側表示装置２３及び室内機側制御部２５の少なくとも一部は、処理回路９３によって実現されてもよい。
【００８４】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００８５】
室内機側通信部２１、検出部２２、室内機側表示装置２３及び室内機側制御部２５が有する複数の機能について、当該複数の機能の一部がソフトウェア又はファームウェアで実現され、当該複数の機能の残部が専用のハードウェアで実現されてもよい。このように、室内機側通信部２１、検出部２２、室内機側表示装置２３及び室内機側制御部２５が有する複数の機能は、ハードウェア、ソフトウェア、ファームウェア、又はこれらの組み合わせによって実現することができる。
【００８６】
実施の形態１に係る空気調和機１の室内機操作端末４が有する端末側通信部４１、端末側表示装置４３、受付部４４及び端末側制御部４６の少なくとも一部の機能は、メモリに格納されるプログラムを実行するプロセッサによって実現されてもよい。当該メモリは、端末側通信部４１、端末側表示装置４３、受付部４４及び端末側制御部４６によって実行されるステップの少なくとも一部が結果的に実行されることになるプログラムを格納するためのメモリである。端末側通信部４１、端末側表示装置４３、受付部４４及び端末側制御部４６の少なくとも一部の機能は、処理回路によって実現されてもよい。当該処理回路は、処理回路９３と同様の処理回路である。
【００８７】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００８８】
１  空気調和機、２  室内機、３  室外機、４  室内機操作端末、２１  室内機側通信部、２２  検出部、２３  室内機側表示装置、２４  室内機側制御装置、２５  室内機側制御部、２６  室内機側記憶部、２７  設定データ、２８  識別番号、２９  設定呼出データ、４１  端末側通信部、４２  端末側制御装置、４３  端末側表示装置、４４  受付部、４５  端末側記憶部、４６  端末側制御部、９１  プロセッサ、９２  メモリ、９３  処理回路。
【図１】
2020183623.tif 000003
【図２】
2020183623.tif 000004
【図３】
2020183623.tif 000005
【図４】
2020183623.tif 000006
【図５】
2020183623.tif 000007
【図６】
2020183623.tif 000008
【図７】
2020183623.tif 000009
【図８】
2020183623.tif 000010
【図９】
2020183623.tif 000011
【図１０】
2020183623.tif 000012
【図１１】
2020183623.tif 000013
【図１２】
2020183623.tif 000014
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
空気調和を行う室内機と、
ユーザによって操作される室内機操作端末と、
前記室内機が有するカメラを用いて、前記室内機が設置されている位置からあらかじめ決められた距離までの範囲において、人の位置、人の動作、又は、あらかじめ決められた物の動作を検出する検出部とを備え、
前記室内機操作端末は、
空気調和の内容を示す設定データと、前記設定データに紐付けられる検索用情報であって人の位置、人の動作、又は、前記物の動作を示す前記検索用情報とを受け付ける受付部と、
前記受付部が受け付けた前記設定データと前記検索用情報とを前記室内機に送信する端末側通信部とを有し、
前記室内機は、
前記室内機操作端末が有する前記端末側通信部が送信した前記設定データと前記検索用情報とを受信する室内機側通信部と、
前記室内機側通信部が受信した前記設定データと前記検索用情報とを紐付けて記憶する室内機側記憶部と、
空気調和についての制御を行う室内機側制御部とを有し、
前記室内機側記憶部が紐付けられた前記設定データと前記検索用情報との組合せを１個又は複数個記憶した後、
前記室内機側制御部は、前記室内機側記憶部が記憶している前記１個又は複数個の組合せのなかの前記検出部によって得られた検出結果に対応する前記検索用情報を含む組合せに含まれている前記設定データにしたがって空気調和についての制御を行う
空気調和機。
【請求項２】
空気調和を行う空気調和機の室内機であって、
室内機操作端末から送信された空気調和の内容を示す設定データと、前記設定データに紐付けられる検索用情報であって人の位置、人の動作、又は、あらかじめ決められた物の動作を示す前記検索用情報とを受信する室内機側通信部と、
前記室内機側通信部が受信した前記設定データと前記検索用情報とを紐付けて記憶する室内機側記憶部と、
空気調和についての制御を行う室内機側制御部と、
カメラを用いて、前記空気調和機の室内機が設置されている位置からあらかじめ決められた距離までの範囲において、人の位置、人の動作、又は、あらかじめ決められた物の動作を検出する検出部とを備え、
前記室内機側記憶部が紐付けられた前記設定データと前記検索用情報との組合せを１個又は複数個記憶した後、
前記室内機側制御部は、前記室内機側記憶部が記憶している前記１個又は複数個の組合せのなかの前記検出部によって得られた検出結果に対応する前記検索用情報を含む組合せに含まれている前記設定データにしたがって空気調和についての制御を行う
空気調和機の室内機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、空気調和を行う室内機と、ユーザによって操作される室内機操作端末と、室内機が有するカメラを用いて、室内機が設置されている位置からあらかじめ決められた距離までの範囲において、人の位置、人の動作、又は、あらかじめ決められた物の動作を検出する検出部とを有する。室内機操作端末は、空気調和の内容を示す設定データと、設定データに紐付けられる検索用情報であって人の位置、人の動作、又は、物の動作を示す検索用情報とを受け付ける受付部と、受付部が受け付けた設定データと検索用情報とを室内機に送信する端末側通信部とを有する。室内機は、室内機操作端末が有する端末側通信部が送信した設定データと検索用情報とを受信する室内機側通信部と、室内機側通信部が受信した設定データと検索用情報とを紐付けて記憶する室内機側記憶部と、空気調和についての制御を行う室内機側制御部とを有する。室内機側記憶部が紐付けられた設定データと検索用情報との組合せを１個又は複数個記憶した後、室内機側制御部は、室内機側記憶部が記憶している１個又は複数個の組合せのなかの検出部によって得られた検出結果に対応する検索用情報を含む組合せに含まれている設定データにしたがって空気調和についての制御を行う。
【国際調査報告】
2020183623.tif 000015
2020183623.tif 000016